(57)【特許請求の範囲】
【請求項１】
表示パネル及びタッチウィンドウを含むディスプレイ装置の上端に配置されるカバー基板において、
少なくとも第１方向への一端と他端及び第２方向への一端と他端が曲率半径を有しながら撓む一面と、
曲率半径を有しながら前記一面と同一方向に撓む他面と、を含み、
前記一端及び前記他端は、前記ディスプレイ装置の方向に向かって、
前記一面及び前記他面は、凸方向の曲率を有し、
前記第１方向への曲率半径と、前記第２方向への曲率半径は異なり、
前記一面は複曲面を有して前記他面は単曲面を有し、
前記一面は、入力装置が接触する面である、カバー基板。
【請求項２】
前記一面は、入力装置が接触する面である、請求項１に記載のカバー基板。
【請求項３】
前記一面は、前記一端及び前記他端の中央部分が定義され、
前記中央部分はフラットであり、前記一面の一端及び他端は撓む、請求項１に記載のカバー基板。
【請求項４】
前記他面は、第１方向の曲率半径を有する、請求項３に記載のカバー基板。
【請求項５】
前記他面は、第２方向の曲率半径を有する、請求項３に記載のカバー基板。
【請求項６】
前記第１方向の曲率半径及び前記第２方向の曲率半径は、５Ｒ〜１０００Ｒである、請求項２に記載のカバー基板。
【請求項７】
表示パネルと、
前記表示パネルの上に配置され、カバー基板を含むタッチウィンドウとを含み、
前記カバー基板は、
少なくとも第１方向への一端と他端及び第２方向への一端と他端が曲率半径を有しながら撓む一面と、
曲率半径を有しながら前記一面と同一方向に撓む他面と、を含み、
前記一端及び前記他端は、本ディスプレイ装置の方向に向かって、
前記一面及び前記他面は、凸方向の曲率を有し、
前記第１方向への曲率半径と、前記第２方向への曲率半径は異なり、
前記一面は複曲面を有して前記他面は単曲面を有し、
前記表示パネルは平面に形成され、
前記表示パネルと前記タッチウィンドウとの間には、空隙部が形成され、
前記一面は、入力装置が接触する面である、ディスプレイ装置。
【請求項８】
前記カバー基板には、有効領域及び非有効領域が定義され、
前記有効領域上に配置される感知電極と、前記非有効領域上に配置される配線電極とを更に含む、請求項７に記載のディスプレイ装置。
【請求項９】
前記カバー基板の下部に配置される基板を更に含み、
前記感知電極は、一方向に延長される第１感知電極と、前記一方向と異なる方向に延長される第２感知電極とを含み、
前記第１感知電極及び前記第２感知電極は、前記基板の同一面上に配置される、請求項８に記載のディスプレイ装置。
【請求項１０】
前記第１感知電極及び前記第２感知電極の少なくとも一つの感知電極は、メッシュ形状に形成される、請求項９に記載のディスプレイ装置。
【請求項１１】
前記感知電極は、一方向に延長される第１感知電極と、前記一方向と異なる方向に延長される第２感知電極とを含み、
前記第１感知電極及び前記第２感知電極は、前記カバー基板の同一面上に配置される、請求項８に記載のディスプレイ装置。
【請求項１２】
前記一面は、入力装置が接触する面である、請求項７に記載のディスプレイ装置。
【請求項１３】
前記一面は、前記一端及び前記他端の中央部分が定義され、
前記中央部分はフラットであり、前記一面の一端及び他端は撓む、請求項７に記載のディスプレイ装置。
【請求項１４】
前記第１方向の曲率半径及び前記第２方向の曲率半径は、５Ｒ〜１０００Ｒである、請求項７に記載のディスプレイ装置。
【請求項１５】
前記カバー基板は、ガラスまたはプラスチックを含む、請求項７に記載のディスプレイ装置。
【請求項１６】
前記一端及び他端は、互いに異なる大きさの曲率半径で撓む、請求項７に記載のディスプレイ装置。
【請求項１７】
前記一端及び他端は、同一大きさの曲率半径で撓む、請求項７に記載のディスプレイ装置。
【発明の詳細な説明】
【技術分野】
【０００１】
実施例は、カバー基板及びこれを含むディスプレイ装置に関する。
【背景技術】
【０００２】
最近、多様な電子製品でディスプレイ装置に表示された画像に指またはスタイラス（ｓｔｙｌｕｓ）などの入力装置を接触する方式で入力をするタッチパネルが適用されている。
【０００３】
タッチパネルは、代表的に抵抗膜方式のタッチパネルと静電容量方式のタッチパネルに区分される。抵抗膜方式のタッチパネルは、入力装置に圧力を加えた時に電極間の連結によって抵抗が変化することを感知して位置が検出される。静電容量方式のタッチパネルは、指が接触した時に電極間の静電容量が変化することを感知して位置が検出される。製造方式の利便性及びセンシング力などを勘案して、小型モデルにおいては最近静電容量方式が注目されている。
【０００４】
一方、最近では、曲げられるタッチパネルに対する要求が増加している。特に、車両などに使われるディスプレイ装置の場合、平面ではなく曲面にタッチパネルが適用される部分が多く、曲面タッチパネルに対する需要が増加している。
【０００５】
このような曲面タッチパネルは、ＬＣＤなどの他の構成と結合して、車両など多様な技術分野で使用可能であり、このような曲面を有するタッチパネルにより他の車両などの構成に適用される時、結合が困難であるという問題点がある。
【０００６】
また、曲面の形成時にデザインに対する自由度が低下するという問題点がある。
【０００７】
したがって、このような問題点を解決できる基板及びこれを適用したタッチウィンドウが要求される。
【発明の概要】
【発明が解決しようとする課題】
【０００８】
実施例は、デザインに対する自由度が向上したカバー基板及びこれを含み、信頼性が向上したタッチウィンドウ及びタッチデバイスを提供しようとする。
【課題を解決するための手段】
【０００９】
実施例に係るカバー基板は、少なくと二方向の曲率を有する一面と、一方向の曲率を有する他面とを含む。
【発明の効果】
【００１０】
実施例に係るカバー基板は、一面または第１層の一面は、少なくとも二方向に撓み、一つまたは複数の曲率の大きさを有する、すなわち複曲面を有し、前記一面と反対の他面または第２層の一面は一方向に撓み、一つまたは複数の曲率の大きさを有する、すなわち単曲面を有することができる。
【００１１】
これにより、一面と他面が互いに異なる曲面を有するカバー基板を具現することができる。すなわち、一方向の端面では前記一面のみが撓み、他方向の端面では前記一面及び他面の双方が撓むカバー基板を具現することができる。
【００１２】
したがって、このようなカバー基板をディスプレイ装置またはタッチデバイスなどに適用する時、デザインに対する自由度を向上させることができる。すなわち、実施例に係るカバー基板は、カバー基板が結合される位置や場所に関係なく容易に結合することができ、一面は複曲面を有して他面は単曲面を有する形状により、デザインに対する自由度を向上させることができる。
【図面の簡単な説明】
【００１３】
【図１】実施例に係るカバー基板の斜視図を示した図である。
【図２】図１のＡ−Ａ′を切断した断面を示した図である。
【図３】図１のＢ−Ｂ′を切断した断面を示した図である。
【図４】図１のＡ−Ａ′を切断した他の断面を示した図である。
【図５】図１のＢ−Ｂ′を切断した他の断面を示した図である。
【図６】図１のＡ−Ａ′を切断したさらに他の断面を示した図である。
【図７】図１のＢ−Ｂ′を切断したさらに他の断面を示した図である。
【図８】他の実施例に係るカバー基板の斜視図を示した図である。
【図９】図８のＣ−Ｃ′を切断した断面を示した図である。
【図１０】図８のＤ−Ｄ′を切断した断面を示した図である。
【図１１】さらに他の実施例に係るカバー基板の斜視図を示した図である。
【図１２】図１１のＥ−Ｅ′を切断した断面を示した図である。
【図１３】図１１のＦ−Ｆ′を切断した断面を示した図である。
【図１４】実施例に係るカバー基板の製造方法工程のフローチャートを示した図である。
【図１５】カバー基板の製造方法を説明するための図である。
【図１６】カバー基板の製造方法を説明するための図である。
【図１７】カバー基板の製造方法を説明するための図である。
【図１８】カバー基板の製造方法を説明するための図である。
【図１９】カバー基板の製造方法を説明するための図である。
【図２０】カバー基板の製造方法を説明するための図である。
【図２１】カバー基板の製造方法を説明するための図である。
【図２２】実施例に係るカバー基板を含むタッチウィンドウの斜視図を示した図である。
【図２３】実施例に係るカバー基板を含むタッチウィンドウの他の斜視図を示した図である。
【図２４】実施例に係るカバー基板を含むタッチウィンドウと表示パネルが結合された多様なタイプのタッチデバイスを示した図である。
【図２５】実施例に係るカバー基板を含むタッチウィンドウと表示パネルが結合された多様なタイプのタッチデバイスを示した図である。
【図２６】実施例に係るカバー基板を含むタッチウィンドウと表示パネルが結合された多様なタイプのタッチデバイスを示した図である。
【図２７】実施例に係るカバー基板を含むタッチデバイスが適用されるタッチデバイス装置を示した図である。
【図２８】実施例に係るカバー基板を含むタッチデバイスが適用されるタッチデバイス装置を示した図である。
【発明を実施するための形態】
【００１４】
実施例を説明するに当たって、各層（膜）、領域、パターン又は構造物が基板、各層（膜）、領域、パッド又はパターンの「上／の上（ｏｎ）」に又は「下／の下（ｕｎｄｅｒ）」に形成されるという記載は、「直接（ｄｉＲｅｃｔｌｙ）」又は「他の層を介して（ｉｎｄｉｒｅｃｔｌｙ）」形成されるものを全て含む。各層の上／の上又は下／の下に対する基準は図面を基準に説明する。
【００１５】
また、ある部分が他の部分と「連結」されているとする場合、これは「直接的に連結」されている場合だけでなく、その間に他の部材を間に置いて「電気的に連結」されている場合も含む。また、ある部分がある構成要素を「含む」とする場合、これは特別に反対の記載がない限り、他の構成要素を除外するものではなく、他の構成要素をさらに含むことができることを意味する。
【００１６】
図面において各層（膜）、領域、パターン又は構造物の厚さや大きさは、説明の明確性及び便宜のために変形されることがあるので、実際の大きさを全的に反映するものではない。
【００１７】
以下、添付した図面を参照して本発明の実施例を詳細に説明すると、以下のようである。
【００１８】
図１〜図１０を参照すると、実施例に係るカバー基板１００は、一面１０１及び他面１０２を含むことができる。
【００１９】
前記カバー基板の前記一面１０１と前記他面１０２は、曲面を含むことができる。例えば、前記一面１０１及び前記他面１０２の少なくとも一つの面は、曲面を含むことができる。すなわち、前記一面１０１及び前記他面１０２の少なくとも一つの面は、撓むことができる。
【００２０】
前記一面１０１及び前記他面１０２は、互いに異なる方向の曲率を有することができる。また、前記一面１０１及び前記他面１０２は、互いに同一又は異なる大きさの曲率を有することができる。
【００２１】
これにより、実施例に係るカバー基板は、前記一面１０１及び前記他面１０２が多様な方向や多様な大きさの曲率を有することができるので、デザインに対する自由度を向上させることができる。例えば、前記一面１０１及び／又は前記他面１０２は、一定の曲率を有することができる。例えば、前記一面１０１は少なくとも二方向の曲率を有することができる。また、前記他面１０２は、一方向の曲率を有することができる。
【００２２】
詳細に、前記一面１０１は、第１方向の曲率Ｒ１及び第２方向の曲率Ｒ２を含むことができる。また、前記他面１０２は、前記第１方向の曲率Ｒ１または前記第２方向の曲率Ｒ２を含むことができる。すなわち、前記他面１０２は、前記一面１０１が撓む方向のいずれかの方向と対応する方向に撓むことができる。
【００２３】
前記第１方向と前記第２方向は、互いに異なる方向を有することができる。例えば、前記第１方向と前記第２方向は、互いに交差する領域で一定の角度を有し、互いに異なる方向に延長される。例えば、前記第１方向と前記第２方向は、垂直に交差する方向に延長されるが、実施例はこれに限定されず、前記第１方向と前記第２方向のなす角度は、要求されるデザインに応じて多様な角度及び形状に変形して適用することができる。
【００２４】
図２及び図３は図１のＡ−Ａ′及びＢ−Ｂ′に沿って切断した断面を示した図である。
【００２５】
図２及び図３を参照すると、前記一面１０１は、前記第１方向及び前記第２方向に撓み、前記他面１０２は、前記第１方向または前記第２方向に撓むことができる。
【００２６】
図２及び図３を参照すると、前記一面１０１は少なくとも二方向に撓むことができる。例えば、前記一面１０１は、第１方向の曲率Ｒ１及び第２方向の曲率Ｒ２で撓むことができる。すなわち、前記一面１０１は、複曲面を有することができる。前記第１方向の曲率Ｒ１は、約５Ｒ〜約１０００Ｒの大きさを有することができる。詳細に、前記第１方向の曲率Ｒ１は、約３０Ｒ〜約１０００Ｒの大きさを有することができる。より詳細に、前記第１方向の曲率Ｒ１は、約５００Ｒ〜約１０００Ｒの大きさ（ｍｍ）を有することができる。
【００２７】
前記一面１０１は、全体的に凸方向に撓むことができる。例えば、前記一面１０１は全体的に凸曲面に形成される。詳細に、前記一面１０１は、前記第１方向と前記第２方向に撓み、全体的に凸曲面を形成することができる。
【００２８】
前記第１方向の曲率Ｒ１が約５Ｒ未満である場合、カバー基板が過度に撓むことになり、カバー基板上にクラックが発生し、カバー基板をタッチウィンドウなどに適用する時、光散乱によって視認性が低下する可能性がある。また、約１０００Ｒを超過する場合、カバー基板が平面に近づくにつれ、曲面カバー基板による効果が低下する可能性がある。
【００２９】
前記第２方向の曲率Ｒ２は、約５Ｒ〜約１０００Ｒの大きさ（ｍｍ）を有することができる。詳細に、前記第２方向の曲率Ｒ２は、約３０Ｒ〜約１０００Ｒの大きさを有することができる。より詳細に、前記第２方向の曲率Ｒ２は、約５００Ｒ〜約１０００Ｒの大きさを有することができる。前記第２方向の曲率Ｒ２は、前記第１方向の曲率Ｒ２と互いに対応するか、または互いに異なる大きさの曲率を有することができる。
【００３０】
前記第２方向の曲率Ｒ２が約５Ｒ未満である場合、カバー基板が過度に撓むことになり、カバー基板上にクラックが発生し、カバー基板をタッチウィンドウなどに適用する時、光散乱によって視認性が低下する可能性がある。また、約１０００Ｒを超過する場合、カバー基板が平面に近づくにつれ、曲面カバー基板による効果が低下する可能性がある。
【００３１】
前記第１方向の曲率Ｒ１と前記第２方向の曲率Ｒ２は、前記範囲内で互いに同一又は類似するか、または互いに異なる大きさの曲率を有することができる。
【００３２】
図２及び図３を参照すると、前記他面１０２は、前記第１方向の曲率Ｒ１または前記第２方向の曲率Ｒ２を含むことができる。すなわち、前記他面１０２は、単曲面を有することができる。すなわち、前記他面１０２は一方向に撓むことができ、前記第１方向の曲率Ｒ１または前記第２方向の曲率Ｒ２を有しながら一方向に撓むことができる。図３では、前記他面が前記第２方向に撓むことを示したが、実施例はこれに限定されない。すなわち、前記他面は前記第１方向に撓むか、または前記一面が撓む方向である前記第１方向及び前記第２方向と異なる方向に撓むことができる。
【００３３】
すなわち、前記他面１０２は、前記一面１０１が撓む方向のいずれかの方向と対応する方向に撓むことができる。
【００３４】
前記他面１０２は、全体的に凸方向に撓むことができる。例えば、前記他面１０２は、全体的に凸曲面に形成される。詳細に、前記一面１０１は、前記第１方向または前記第２方向に撓み、全体的に凸曲面を形成することができる。
【００３５】
実施例はこれに限定されず、前記一面１０１と前記他面１０２は双方とも凸形状又は双方とも凹形状であるか、またはある一面は凹形状であって、ある他面は凸形状であるか、または、ある一面は凸形状であって、ある他面は凹形状であるなど、多様な形状に形成することができる。
【００３６】
図４及び図５は図１のＡ−Ａ′及びＢ−Ｂ′に沿って切断した他の断面を示した図である。
【００３７】
図４及び図５を参照すると、前記カバー基板１００の前記一面１０１は前記第１方向及び前記第２方向に撓み、前記他面１０２は平面であってもよい。例えば、前記カバー基板１００は、前記一面１０１のみ曲面を有することができ、前記他面１０２は平面であってもよい。すなわち、前記他面１０２の曲率の大きさは０であってもよい。
【００３８】
図６及び図７は図１のＡ−Ａ′及びＢ−Ｂ′に沿って切断したさらに他の断面を示した図である。
【００３９】
図６及び図７を参照すると、前記カバー基板１００の前記一面１０１は、前記第１方向及び前記第２方向に撓み、前記他面１０２は、前記第１方向または前記第２方向に撓むことができる。
【００４０】
前記一面１０１は、全体的に凹方向に撓むことができる。例えば、前記一面１０１は、全体的に凹曲面に形成される。詳細に、前記一面１０１は、前記第１方向と前記第２方向に撓み、全体的に凹曲面を形成することができる。
【００４１】
また、前記他面１０２は、全体的に凹方向に撓むことができる。例えば、前記他面１０２は、全体的に凹曲面に形成される。詳細に、前記一面１０１は、前記第１方向または前記第２方向に撓み、全体的に凹曲面を形成することができる。
【００４２】
図２〜図５では、前記一面及び前記他面の双方が凸または凹方向に撓むことに対して示したが、実施例はこれに限定されず、前記一面は凹曲面を有し、前記他面は凸曲面を有するか、または前記一面は凸曲面を有し、前記他面は凹曲面を有することができる。
【００４３】
以下、図８〜図１０を参照して、他の実施例に係るカバー基板を説明する。他の実施例に係るカバー基板の説明では、先述した実施例に係るカバー基板と同一又は類似した構成に対しては説明を省略する。また、同一の構成に対しては同一の図面符号を付与する。
【００４４】
図８〜図１０を参照すると、他の実施例に係るカバー基板１００は、曲面を含む一面１０１と他面１０２を含むことができる。
【００４５】
前記一面１０１は、少なくとも二方向の曲率を有することができる。また、前記一面１０１は、少なくとも一つ以上の大きさを有する曲率を有することができる。すなわち、前記一面１０１は少なくとも二方向に撓み、また、少なくとも一つ以上の多様な大きさを有する曲率を有することができる。
【００４６】
図９を参照すると、他の実施例に係るカバー基板１００の一面は、一端面では一方向、すなわちＲ１方向に撓む曲率を有することができる。この時、カバー基板の一端及び他端の曲率の大きさは同一又は類似する。
【００４７】
図１０を参照すると、他の実施例に係るカバー基板１００の一面及び他面は、他の端面では複数の曲率の大きさを有しながら撓むことができる。
【００４８】
例えば、カバー基板１００が一端ではＲ２ａの大きさ（ｍｍ）で撓むことができ、他端ではＲ２ｂの大きさ（ｍｍ）で撓むことができ、この時、Ｒ２ａとＲ２ｂの曲率方向は同一であり、曲率の大きさは異なってもよい。
【００４９】
すなわち、他の実施例に係るカバー基板１００の一面１０１は、少なくとも二方向、すなわちＲ１、Ｒ２ａ及びＲ２ｂの方向に撓むことができ、複数の曲率の大きさ、すなわち互いに異なる曲率の大きさを有する、すなわちＲ１、Ｒ２ａ及びＲ２ｂを有することができる。
【００５０】
また、カバー基板１００の他面１０２は一方向、すなわちＲ２ａ及びＲ２ｂの方向に撓むことができ、複数の曲率の大きさ、すなわち互いに異なる曲率の大きさを有する、すなわちＲ２ａ及びＲ２ｂを有することができる。
【００５１】
以下、図１１〜図１３を参照して、さらに他の実施例に係るカバー基板を説明する。さらに他の実施例に係るカバー基板の説明では、先述した実施例に係るカバー基板と同一又は類似した構成に対しては説明を省略する。また、同一の構成に対しては同一の図面符号を付与する。
【００５２】
図１１〜図１３を参照すると、実施例に係るカバー基板１００は、少なくとも２層以上を含むことができる。例えば、実施例に係るカバー基板１００は、第１層１１０及び第２層１２０を含むことができる。しかし、実施例はこれに限定されず、実施例に係るカバー基板１００は、３層、４層など複数の層を含むことができることは言うまでもない。
【００５３】
前記第１層１１０と前記第２層１２０は互いに対応する、例えば、同一物質を含むことができる。または、前記第１層１１０と前記第２層１２０は、互いに異なる物質を含むことができる。
【００５４】
前記第１層１１０と前記第２層１２０は、プラスチックを含むことができる。例えば、前記第１層１１０及び前記第２層１２０は、ポリイミド（Ｐｏｌｙｉｍｉｄｅ、ＰＩ）、ポリエチレンテレフタレート（ｐｏｌｙｅｔｈｙｌｅｎｅ  ｔｅｒｅｐｈｔｈａｌａｔｅ、ＰＥＴ）、プロピレングリコール（ｐｒｏｐｙｌｅｎｅ  ｇｌｙｃｏｌ、ＰＰＧ）、ポリカーボネート（ＰＣ）、ＣＯＣ（Ｃｙｃｌｉｃ  Ｏｌｅｆｉｎ  Ｃｏｐｏｌｙｍｅｒ）、ＣＯＰ（Ｃｙｃｌｉｃ  Ｏｌｅｆｉｎ  Ｐｏｌｙｍｅｒ）、光等方ポリカーボネート（ｐｏｌｙｃａｒｂｏｎａｔｅ、ＰＣ）及び光等方ポリメチルメタクリレート（ＰＭＭＡ）のうち少なくとも一つの物質を含むことができる。
【００５５】
好ましくは、前記第１層１１０及び前記第２層１２０は、光等方フィルムを含むことができる。
【００５６】
前記第１層１１０及び前記第２層１２０は、前記物質の中で同一物質または異なる物質を有することができる。例えば、前記第１層１１０及び前記第２層１２０は、互いに異なる物質を含むことができる。
【００５７】
一例として、第１層１１０は、強度及び耐衝撃性などが大きい物質を含むことができる。詳細に、前記第１層１１０は、前記第２層１２０よりも強度及び耐衝撃性が大きい物質を含むことができる。
【００５８】
また、前記第２層１２０は、軟性などが大きい物質を含むことができる。詳細に、前記第２層１２０は、前記第１層１１０よりも軟性が大きい物質を含むことができる。
【００５９】
前記第１層１１０及び前記第２層１２０は撓むことができる。例えば、前記第１層１１０の一面及び前記第２層１２０の一面は撓むことができる。
【００６０】
詳細に、前記第１層１１０は、一面と、前記一面と反対であって、前記第２層１２０と接触する他面を含むことができ、前記第１層１１０の一面は撓むことができる。また、前記第２層１２０は、一面と、前記一面と反対であって、前記第１層１１０と接触する他面を含むことができ、前記第２層１２０の他面は撓むことができる。
【００６１】
図１２及び図１３を参照すると、前記第１層１１０の一面は、少なくとも二方向に撓むことができる。例えば、前記第１層１１０の一面は第１方向及び第２方向に撓むことができる。また、前記第２層１２０の一面は一方向に撓むことができる。例えば、前記第２層１２０の一面は、前記第１方向または前記第２方向に撓むことができる。
【００６２】
すなわち、前記第１層１１０の一面は、二方向に撓む複曲面であり、前記第２層１２０の一面は、一方向に撓む単曲面であってもよい。
【００６３】
しかし、実施例はこれに限定されず、前記第１層１１０の一面及び前記第２層１２０の一面の双方を複曲面に形成することができる。
【００６４】
図１２及び図１３を参照すると、前記第１層１１０の一面は、第１方向の曲率Ｒ１及び第２方向の曲率Ｒ２で撓むことができる。すなわち、前記第１層１１０の一面は複曲面を有することができる。前記第１方向の曲率Ｒ１は、約５Ｒ〜約１０００Ｒの大きさを有することができる。詳細に、前記第１方向の曲率Ｒ１は、約３０Ｒ〜約１０００Ｒの大きさを有することができる。より詳細に、前記第１方向の曲率Ｒ１は、約５００Ｒ〜約１０００Ｒの大きさを有することができる。
【００６５】
前記第１層１１０の一面は、全体的に凸または凹方向に撓むことができる。例えば、前記第１層１１０の一面は、全体的に凹または凸曲面に形成される。詳細に、前記第１層１１０の一面は、前記第１方向と前記第２方向に撓み、全体的に凹または凸曲面を形成することができる。
【００６６】
前記第１方向の曲率Ｒ１が約５Ｒ未満である場合、カバー基板が過度に撓むことになり、カバー基板上にクラックが発生し、カバー基板をタッチウィンドウなどに適用する時、光散乱によって視認性が低下する可能性がある。また、約１０００Ｒを超過する場合、カバー基板が平面に近づくにつれ、曲面カバー基板による効果が低下する可能性がある。
【００６７】
前記第２方向の曲率Ｒ２は、約５Ｒ〜約１０００Ｒの大きさ（ｍｍ）を有することができる。詳細に、前記第２方向の曲率Ｒ２は、約３０Ｒ〜約１０００Ｒの大きさを有することができる。より詳細に、前記第２方向の曲率Ｒ２は、約５００Ｒ〜約１０００Ｒの大きさを有することができる。前記第２方向の曲率Ｒ２は、前記第１方向の曲率Ｒ２と互いに対応するか、または互いに異なる大きさの曲率を有することができる。
【００６８】
前記第２方向の曲率Ｒ２が約５Ｒ未満である場合、カバー基板が過度に撓むことになり、カバー基板上にクラックが発生し、カバー基板をタッチウィンドウなどに適用する時、光散乱によって視認性が低下する可能性がある。また、約１０００Ｒを超過する場合、カバー基板が平面に近づくにつれ、曲面カバー基板による効果が低下する可能性がある。
【００６９】
図１２及び図１３を参照すると、前記第２層１２０の一面は、第１方向の曲率Ｒ１または第２方向の曲率Ｒ２で撓むことができる。すなわち、前記第２層１２０の一面は、単曲面を有することができる。前記第１方向の曲率Ｒ１または前記第２方向の曲率Ｒ２は、約５Ｒ〜約１０００Ｒの大きさを有することができる。詳細に、前記第１方向の曲率Ｒ１または前記第２方向の曲率Ｒ２は、約３０Ｒ〜約１０００Ｒの大きさを有することができる。より詳細に、前記第１方向の曲率Ｒ１または前記第２方向の曲率Ｒ２は、約５００Ｒ〜約１０００Ｒの大きさ（ｍｍ）を有することができる。
【００７０】
前記第２層１２０の一面は、全体的に凸または凹方向に撓むことができる。例えば、前記第１層１１０の一面は、全体的に凹または凸曲面に形成される。詳細に、前記第２層１２０の一面は、前記第１方向または前記第２方向に撓み、全体的に凹または凸曲面を形成することができる。
【００７１】
図１２及び図１３では、前記第１層１１０の一面及び前記第２層１２０の一面の双方が曲面を有するものとして示したが、実施例はこれに限定されず、前記第１層１１０及び前記第２層１２０のいずれかの一層の一面のみが曲面を有することができる。例えば、前記第１層１１０の一面は、二方向に撓む複曲面であってもよく、前記第２層１２０は、曲率が０である、すなわち平面であってもよい。
【００７２】
先述したように、前記第１層１１０が強度及び耐衝撃性などが大きい物質を含むことによって、二方向に撓む工程で前記第１層１１０にクラックなどの損傷が発生することを防止することができる。また、前記第２層１２０が軟性などが大きな物質を含むことによって、第１層及び第２層が撓む時、軟性が大きい第２層１２０によって緩衝の役割をすることができ、カバー基板にクラックなどが発生して変形されることを防止することができる。
【００７３】
実施例に係るカバー基板は、一面または第１層の一面が二方向に撓む、すなわち複曲面を有し、前記一面と反対の他面または第２層の一面は一方向に撓む、すなわち単曲面を有することができる。
【００７４】
これにより、一面と他面が互いに異なる曲面を有するカバー基板を具現することができる。すなわち、一方向の端面では前記一面のみ撓み、他方向の端面では前記一面及び他面の双方が撓むカバー基板を具現することができる。
【００７５】
したがって、このようなカバー基板をディスプレイ装置またはタッチデバイスなどに適用する時、デザインに対する自由度を向上させることができる。すなわち、実施例に係るカバー基板は、カバー基板が結合される位置や場所に関係なく容易に結合することができ、一面は複曲面を有して他面は単曲面を有する形状によって、デザインに対する自由度を向上させることができる。
【００７６】
以下、図１４〜図２１を参照して、実施例に係るカバー基板の製造方法を説明する。
【００７７】
図１４は実施例に係るカバー基板の製造方法を説明するための図である。
【００７８】
図１４を参照すると、実施例に係るカバー基板の製造方法は、第１成形段階（ＳＴ１０）及び第２成形段階（ＳＴ２０）を含むことができる。
【００７９】
前記第１成形段階（ＳＴ１０）及び前記第２成形段階（ＳＴ２０）は、順次に行うことができる。また、前記第１成形段階（ＳＴ１０）及び前記第２成形段階（ＳＴ２０）は、連続的に行うことができる。また、前記第１成形段階（ＳＴ１０）及び前記第２成形段階（ＳＴ２０）は、それぞれ別途の工程で行うことができる。
【００８０】
前記第１成形段階（ＳＴ１０）では、カバー基板の一面及び他面の少なくとも一つの面に曲面を形成することができる。例えば、前記第１成形段階（ＳＴ１０）では、前記基板の一面または他面に曲面を形成することができる。すなわち、前記第１成形段階（ＳＴ１０）では、前記カバー基板の一面及び他面のいずれかの面に曲面を形成することができる。
【００８１】
詳細に、前記第１成形段階（ＳＴ１０）では、前記カバー基板の一面及び他面の少なくとも一つの面に第１方向の撓みを形成することができる。例えば、前記第１成形段階（ＳＴ１０）では、前記カバー基板の一面及び他面の少なくとも一つの面に曲率を有する撓みを形成することができる。
【００８２】
図１５〜図１９は前記第１成形段階（ＳＴ１０）を説明するための図である。
【００８３】
図１５〜図１９を参照すると、前記第１成形段階（ＳＴ１０）は、複数個の成形部材を利用してカバー基板を成形することができる。
【００８４】
図１５を参照すると、成形部材２００は、第１成形部材２１０及び第２成形部材２２０を含むことができる。前記第１成形部材２１０及び前記第２成形部材２２０は金属を含むことができる。
【００８５】
前記第１成形部材２１０及び前記第２成形部材２２０は、少なくとも一つ以上配置することができる。例えば、前記第１成形部材２１０及び前記第２成形部材２２０は複数個を配置することができ、前記第１成形部材２１０及び前記第２成形部材２２０は交互に配置することができる。
【００８６】
前記第１成形部材２１０及び前記第２成形部材２２０は、互いに対向する。また、前記第１成形部材２１０及び前記第２成形部材２２０は、互いに離隔して配置される。例えば、前記第１成形部材２１０及び前記第２成形部材２２０は互いに離隔し、互いに対向して配置される。
【００８７】
図１５を参照すると、前記第１成形部材２１０と前記第２成形部材２２０との間に樹脂が注入され、前記樹脂は、前記第１成形部材２１０と前記第２成形部材２２０との間を通過することができる。例えば、互いに離隔して対向配置される前記第１成形部材２１０と前記第２成形部材２２０との間に樹脂物質Ｒを通過させることができる。これにより、第１成形基板を製造することができる。
【００８８】
前記樹脂物質Ｒは、注入部３１０を介してチャンバー３００の内部に流入した後、チャンバー３００の内部で混合部材３３０などを介して混合され、排出部３２０を介して成形部材方向に移動することができる。この時、樹脂物質Ｒの排出量及び温度は、前記チャンバー内で所望する量及び温度に制御することができる。
【００８９】
前記樹脂物質は、少なくとも一つの樹脂物質を含むことができる。例えば、前記樹脂物質Ｒは、一つの樹脂物質または二つ以上の樹脂物質が混合された混合物を含むことができる。詳細に、前記樹脂物質Ｒは、ポリイミド（Ｐｏｌｙｉｍｉｄｅ、ＰＩ）、ポリエチレンテレフタレート（ｐｏｌｙｅｔｈｙｌｅｎｅ  ｔｅｒｅｐｈｔｈａｌａｔｅ、ＰＥＴ）、プロピレングリコール（ｐｒｏｐｙｌｅｎｅ  ｇｌｙｃｏｌ、ＰＰＧ）、ポリカーボネート（ＰＣ）、ＣＯＣ（Ｃｙｃｌｉｃ  Ｏｌｅｆｉｎ  Ｃｏｐｏｌｙｍｅｒ）、ＣＯＰ（Ｃｙｃｌｉｃ  Ｏｌｅｆｉｎ  Ｐｏｌｙｍｅｒ）、光等方ポリカーボネート（ｐｏｌｙｃａｒｂｏｎａｔｅ、ＰＣ）及び光等方ポリメチルメタクリレート（ＰＭＭＡ）のうち少なくとも一つの物質を含むことができる。
【００９０】
しかし、実施例はこれに限定されず、前記第１成形部材２１０と前記第２成形部材２２０との間には、樹脂物質の代わりにガラスを形成するシリカ系物質が注入されて通過することができる。例えば、前記第１成形部材２１０と前記第２成形部材２２０との間には、ソーダライムガラス（ｓｏｄａ  ｌｉｍｅ  ｇｌａｓｓ）またはアルミノシリケートガラスなどのガラスを形成するシリカ系物質が注入されて通過することができる。
【００９１】
図１５は前記第１成形部材２１０及び前記第２成形部材２２０が４つ配置されたことを示したが、実施例はこれに限定されず、前記成形部材は４つ以上配置可能であることは言うまでもない。
【００９２】
前記第１成形部材２１０及び前記第２成形部材２２０は、曲面を含むことができる。例えば、前記第１成形部材２１０及び前記第２成形部材２２０は、全体的に円形形状を含むことができる。詳細に、前記第１成形部材２１０及び前記第２成形部材２２０は、円筒形状を含むことができる。
【００９３】
また、前記第１成形部材２１０及び前記第２成形部材２２０のいずれかの成形部材は、凸部または凹部を含むことができる。すなわち、前記第１成形部材２１０または前記第２成形部材２２０は、凸部または凹部を含むことができる。
【００９４】
図１６を参照すると、前記第２成形部材２２０は凹部４１０を含むことができる。例えば、前記第２成形部材２２０は、前記第１成形部材２１０と対向する一面上に凹部が形成される。ここで、凹部とは前記第２成形部材２２０と対向する前記第１成形部材の一面を基準に凹んでいることを意味する。
【００９５】
図１６に示された第１成形部材２１０と前記第２成形部材２２０との間に樹脂物質Ｒが通過する場合、前記第１成形基板が製造され、前記第１成形基板の一面には曲面が形成される。すなわち、前記第１成形部材２１０と前記第２成形部材２２０との間を通過する時、前記凹部４１０が形成された部分を通過した第１成形基板の一面には、前記凹部の形状と同じように凹形状の曲面が形成される。
【００９６】
図１７を参照すると、前記第２成形部材２２０は凸部４２０を含むことができる。例えば、前記第２成形部材２２０は、前記第１成形部材２１０と対向する一面上に凸部が形成される。ここで、凸部とは前記第２成形部材２２０と対向する前記第１成形部材の一面を基準に突出していることを意味する。
【００９７】
図１７に示された第１成形部材２１０と前記第２成形部材２２０との間に樹脂物質Ｒが通過する場合、前記第１成形基板が製造され、前記第１成形基板の一面には曲面が形成される。すなわち、前記第１成形部材２１０と前記第２成形部材２２０との間を通過する時、前記凸部４２０が形成された部分を通過した第１成形基板の一面には、前記凸部の形状と同じように凸形状の曲面が形成される。
【００９８】
図１８を参照すると、前記第２成形部材２２０は、複数個の凹部４１０を含むことができる。例えば、前記第２成形部材２２０は、前記第１成形部材２１０と対向する一面上に複数個の凹部が形成される。ここで、凹部とは前記第２成形部材２２０と対向する前記第１成形部材の一面を基準に凹んでいることを意味する。
【００９９】
図１８に示された第１成形部材２１０と前記第２成形部材２２０との間に樹脂物質Ｒが通過する場合、前記第１成形基板が製造され、前記第１成形基板の一面には、複数の曲面が形成される。すなわち、前記第１成形部材２１０と前記第２成形部材２２０との間を通過する時、前記凹部４１０が形成された部分を通過した第１成形基板の一面には、前記凹部の形状と同じように凹形状の曲面が形成される。
【０１００】
図１９を参照すると、前記第２成形部材２２０は複数個の凸部４２０を含むことができる。例えば、前記第２成形部材２２０は、前記第１成形部材２１０と対向する一面上に複数個の凸部が形成される。ここで、凸部とは前記第２成形部材２２０と対向する前記第１成形部材の一面を基準に突出していることを意味する。
【０１０１】
図１９に示された第１成形部材２１０と前記第２成形部材２２０との間に樹脂物質Ｒが通過する場合、前記第１成形基板が製造され、前記第１成形基板の一面には、複数個の曲面が形成される。すなわち、前記第１成形部材２１０と前記第２成形部材２２０との間を通過する時、前記凸部４２０が形成された部分を通過した第１成形基板の一面には、前記凸部の形状と同じように凸形状の曲面が形成される。
【０１０２】
先述したように、前記第１成形段階（ＳＴ１０）では、複数個の成形部材を利用して一面が曲面を含む第１成形基板１００ａを製造することができる。
【０１０３】
図２０を参照すると、前記第１成形段階では、第１方向に撓む第１成形基板１００ａを製造することができる。すなわち、前記第１成形基板１００ａは、一面及び他面のいずれかの面上に第１方向に撓む曲面が形成される。
【０１０４】
すなわち、前記成形部材を通過する樹脂物質は、前記第２成形部材に形成された凹部または凸部によって、基板の一面または他面上に一定の大きさの曲率を有する曲面が形成され、第１成形基板１００ａが形成される。
【０１０５】
図２１は第２成形段階を説明するための図である。
【０１０６】
図２１を参照すると、金型部材５００を用意し、前記金型部材内に第１成形基板を配置した後、前記金型部材を第２方向に曲げることができる。
【０１０７】
例えば、前記金型部材５００は、第１基板５１０と第２基板５２０を含み、前記第１基板５１０と第２基板５２０との間に前記第１成形基板を配置した後、前記金型部材を第２方向に曲げることができる。この時、前記金型部材を曲げることは、高温の熱と共に行われる。
【０１０８】
前記金型部材の形状を第１成形基板の形状として製作して２方向に曲げれば、２方向に曲げる時不良を減少させることができ、２方向の方向性を多様にしても、第１成形段階で形成された曲面形状を維持しながら曲げることができる。
【０１０９】
これにより、前記第１成形基板の一面及び他面には、前記第２方向の曲面が形成される。すなわち、前記第１成形基板の一面と他面の双方に前記第２方向の曲面が形成される。
【０１１０】
前記第２方向に曲げる時、それぞれの作用点、すなわちＦ１、Ｆ２及びＦ３の曲げる熱、温度及び圧力などを異なるようにして、互いに異なる曲率の大きさで曲げることができる。これにより、第２成形段階では、複数個の曲率の大きさを有するカバー基板を形成することができる。前記第２方向は、前記第１方向と異なる方向であってもよい。例えば、前記第１方向と前記第２方向は互いに直交する。しかし、実施例はこれに限定されず、前記第１方向と前記第２方向は、鈍角または鋭角を有する方向に延長されてもよい。
【０１１１】
前記第２成形段階により、前記第１成形基板の一面は二方向、すなわち前記第１方向と前記第２方向に撓むことができ、前記第１成形基板の他面は一つの方向、すなわち前記第２方向に撓むことができる。
【０１１２】
これにより、最終的に製造される基板の一面は、二方向の曲率を有する複曲面が形成され、基板の他面は一方向の曲率を有する単曲面が形成される。
【０１１３】
また、一面と他面の曲面の方向及び大きさを異なるように形成することができ、一面と他面を互いに異なる形状を有する複曲面に形成することもできる。
【０１１４】
前記第１方向に撓む曲面と前記第２方向に撓む曲面は、約５Ｒ〜約１０００Ｒの曲率の大きさ（ｍｍ）を有することができる。
【０１１５】
前記曲率が約５Ｒ未満である場合、基板が過度に撓むことになり、基板上にクラックが発生し、基板をタッチウィンドウなどに適用する時、光散乱によって視認性が低下する可能性がある。また、約１０００Ｒを超過する場合、基板が平面に近づくにつれ、曲面基板による効果が低下する可能性がある。
【０１１６】
また、前記第１方向の撓みと前記第２方向の撓みは、前記曲率の範囲内で互いに対応する大きさを有するか、または異なる大きさの曲率を有することができる。
【０１１７】
図１３〜図２１では、押出工程による基板の製造方法を説明したが、実施例はこれに限定されず、所望の形状に合わせて多様な金型などを利用して、前記基板は射出成形などによって製造可能であることは言うまでもない。
【０１１８】
以下、図２２及び図２３を参照して、実施例に係るカバー基板を含むタッチウィンドウを説明する。
【０１１９】
図２２を参照すると、実施例に係るタッチウィンドウは、カバー基板１００、基板６００及び電極を含むことができる。
【０１２０】
例えば、実施例に係るタッチウィンドウは、前記カバー基板１００、前記カバー基板１００の上の基板６００及び前記基板６００の上の電極を含むことができる。
【０１２１】
前記カバー基板１００と前記基板６００は、光学用透明接着剤などによって接着することができる。例えば、前記カバー基板１００と前記基板６００は、ＯＣＡまたはＯＣＲなどの接着剤などを介して互いに接着される。
【０１２２】
前記基板６００は、前記カバー基板１００と同一又は類似の物質を含むことができる。また、前記基板６００は前記カバー基板１００のように、一面及び他面の少なくとも一つの面が曲面を有することができる。例えば、前記基板６００は、前記カバー基板１００と対応する形状を有することができる。すなわち、前記基板６００の一面は複曲面を有し、他面は単曲面を有することができる。
【０１２３】
前記カバー基板１００及び前記基板６００は、有効領域ＡＡ及び非有効領域ＵＡが定義される。
【０１２４】
前記有効領域ＡＡではディスプレイが表示され、前記有効領域ＡＡの周囲に配置される前記非有効領域ＵＡではディスプレイが表示されない。
【０１２５】
また、前記有効領域ＡＡ及び前記非有効領域ＵＡの少なくとも一つの領域では、入力装置（例えば、指、スタイラスペンなど）の位置を感知することができる。このようなタッチウィンドウに指などの入力装置が接触すると、入力装置が接触した部分で静電容量の差が発生し、このような差が発生した部分を接触位置として検出することができる。
【０１２６】
前記基板６００の上には電極を配置することができる。例えば、前記基板６００の上には感知電極７１０及び配線電極７２０を配置することができる。
【０１２７】
前記感知電極７１０は、前記有効領域ＡＡ上に配置することができる。
【０１２８】
前記感知電極７１０は、光の透過を妨害することなく電気が流れるように透明伝導性物質を含むことができる。一例として、前記感知電極７１０は、インジウムスズ酸化物（ｉｎｄｉｕｍ  ｔｉｎ  ｏｘｉｄｅ）、インジウム亜鉛酸化物（ｉｎｄｉｕｍ  ｚｉｎｃ  ｏｘｉｄｅ）、銅酸化物（ｃｏｐｐｅｒ  ｏｘｉｄｅ）、スズ酸化物（ｔｉｎ  ｏｘｉｄｅ）、亜鉛酸化物（ｚｉｎｃ  ｏｘｉｄｅ）、チタン酸化物（ｔｉｔａｎｉｕｍ  ｏｘｉｄｅ）などの金属酸化物を含むことができる。
【０１２９】
または、前記感知電極７１０は、ナノワイヤー、感光性ナノワイヤーフィルム、カーボンナノチューブ（ＣＮＴ）、グラフェン（ｇｒａｐｈｅｎｅ）、伝導性ポリマーまたはこれらの混合物を含むことができる。ナノワイヤーまたはカーボンナノチューブ（ＣＮＴ）のようなナノ合成体を使用する場合、黒色で構成することもでき、ナノパウダーの含量制御を介して電気伝導度を確保しながら色と反射率制御が可能な長所がある。
【０１３０】
または、前記感知電極７１０は多様な金属を含むことができる。例えば、前記感知電極７１０は、クロム（ＣＲ）、ニッケル（Ｎｉ）、銅（Ｃｕ）、アルミニウム（Ａｌ）、銀ＡＧ、モリブデン（Ｍｏ）、金（ａｕ）、チタン（Ｔｉ）及びこれらの合金のうち少なくとも一つの金属を含むことができる。
【０１３１】
また、前記感知電極７１０は、メッシュ形状に形成することができる。詳細に、前記感知電極７１０は、複数個のサブ電極を含むことができ、前記サブ電極は、メッシュ形状に互いに交差しながら配置することができる。
【０１３２】
詳細に、前記感知電極は、メッシュ形状に互いに交差する複数個のサブ電極によって、メッシュ線ＬＡ及び前記メッシュ線ＬＡの間のメッシュ開口部ＯＡを含むことができる。
【０１３３】
前記メッシュ線ＬＡの線幅は、約０.１μｍ〜約１０μｍあってもよい。前記メッシュ線ＬＡの線幅が約０.１μｍ未満のメッシュ線部は製造工程上、不可能であるか、またはメッシュ線の短絡が発生し、約１０μｍを超過する場合、電極パターンが外部から視認され、視認性が低下する可能性がある。好ましくは、前記メッシュ線ＬＡの線幅は、約０.５μｍ〜約７μｍである。より好ましくは、前記メッシュ線の線幅は、約１μｍ〜約３.５μｍである。
【０１３４】
また、前記メッシュ開口部は、多様な形状に形成することができる。例えば、前記メッシュ開口部ＯＡは、四角形、ダイヤモンド形、五角形、六角形の多角形形状または円形形状など、多様な形状を有することができる。また、前記メッシュ開口部は、規則的な（Ｒｅｇｕｌａｒ）形状またはランダム（Ｒａｎｄｏｍ）形状に形成することができる。
【０１３５】
前記感知電極がメッシュ形状を有することによって、有効領域の一例としてディスプレイ領域上で前記感知電極のパターンが見えないようにすることができる。すなわち、前記感知電極が金属で形成されても、パターンが見えないようにすることができる。また、前記感知電極が大型サイズのタッチウィンドウに適用されてもタッチウィンドウの抵抗を下げることができる。
【０１３６】
前記感知電極７１０は、第１感知電極７１１及び第２感知電極７１２を含むことができる。
【０１３７】
前記第１感知電極７１１と前記第２感知電極７１２は、互いに離隔して配置される。例えば、前記第１感知電極７１１は一方向に延長されて配置され、前記第２感知電極７１２は、前記一方向と異なる方向に延長されて配置され、前記第１感知電極７１１と前記第２感知電極７１２は、互いに離隔して配置される。
【０１３８】
前記配線電極７２０は、前記有効領域ＡＡ及び前記非有効領域ＵＡ上に配置することができる。
【０１３９】
前記配線電極７２０は、前記第１感知電極７１１と連結される第１配線電極７２１及び前記第２感知電極７１２と連結される第２配線電極７２２を含むことができる。
【０１４０】
前記第１配線電極７２１及び前記第２配線電極７２２は、前記有効領域ＡＡ上で前記第１感知電極７１１及び前記第２感知電極７１２と連結され、前記非有効領域方向に延長され、前記非有効領域ＵＡ上で印刷回路基板と連結されて配置される。
【０１４１】
前記配線電極７２０は、伝導性物質を含むことができる。例えば、前記配線電極７２０は、先述した前記感知電極７１０と同一又は類似の物質を含むことができる。また、前記配線電極７２０は、前記感知電極のようにメッシュ形状に形成することができる。
【０１４２】
実施例に係るタッチウィンドウは、基板の上に第１、第２感知電極をすべて配置することで、タッチウィンドウの厚さを減少させることができる。また、カバー基板ではなく基板の上に電極を配置することで、電極を配置する時にカバー基板が損傷することを防止することができる。
【０１４３】
図２３を参照すると、実施例に係るタッチウィンドウは基板が省略され、カバー基板１００の上に直接電極が配置される。
【０１４４】
詳細に、前記カバー基板１００の上に感知電極及び配線電極を配置することができる。前記感知電極及び前記配線電極の物質、配置位置及び形状などに対しては、先述したものと同様であるので、以下の説明は省略する。
【０１４５】
実施例に係るタッチウィンドウは、カバー基板の上に直接感知電極と配線電極が配置されることで、基板が配置されることを省略することができ、これにより、タッチウィンドウの厚さを減少させることができ、薄い厚さのタッチウィンドウを具現することができる。
【０１４６】
以下、図２４〜図２６を参照して、実施例に係るカバー基板が適用されたタッチウィンドウと表示パネルが結合されたタッチデバイスを説明する。
【０１４７】
図２４を参照すると、実施例に係るタッチデバイスは、カバーケース８００、前記カバーケース８００内に収容されるタッチウィンドウ１０００及び表示パネル２０００を含むことができる。
【０１４８】
詳細に、前記カバーケース８００内には表示パネル２０００が配置され、前記表示パネル２０００の上に曲面を含むタッチウィンドウ１０００が配置される。
【０１４９】
前記カバーケース８００は、金属またはプラスチックを含むことができる。
【０１５０】
図面では説明の便宜のために、前記カバーケース８００を直角に示したが、実施例はこれに限定されず、前記カバーケース８００は車両などに使用される場合、曲面を含むことができることは言うまでもない。
【０１５１】
前記タッチウィンドウ１０００は、先述したカバー基板１００及びカバー基板の上の電極７００を含むことができる。
【０１５２】
前記表示パネルは２０００は、ライトモジュール２１００及び液晶パネル２２００を含むことができる。前記ライトモジュール２１００は、前記液晶パネル２２００方向に光を出射する光源を含むことができる。一例として、前記光源は、発光ダイオードＬＥＤまたは有機発光ダイオードＯＬＥＤを含むことができる。
【０１５３】
前記液晶パネル２２００は、複数個の液晶素子を含むことができる。これらの液晶素子は、外部から加えられる電気信号によって内部的な分子の配列が変化して、それぞれ一定のパターンの方向性を呈することができる。
【０１５４】
前記表示パネル２０００は、前記ライトモジュール２１００から出射される光が前記液晶パネル２２００を通過しながら、前記光をそれぞれ異なるパターンに屈折させることができる。
【０１５５】
また、図面には示していないが、前記表示パネル２０００は、前記液晶パネル２２００の上に配置される偏光フィルタ及びカラーフィルタなどを更に含むことができる。
【０１５６】
すなわち、前記カバーケース８００の内部には曲面を有しない、すなわち平面に形成される表示パネル２０００と、前記表示パネルの上に配置され、先述したカバー基板が適用されて曲面を有するタッチウィンドウ１０００が配置される。
【０１５７】
これにより、前記タッチウィンドウ１０００と前記表示パネル２０００との間には空隙が形成される。
【０１５８】
図２５を参照すると、実施例に係るタッチデバイスは、カバーケース８００、前記カバーケース８００内に収容されるタッチウィンドウ１０００及び表示パネル２０００を含むことができる。
【０１５９】
詳細に、前記カバーケース８００内には表示パネル２０００が配置され、前記表示パネル２０００の上に曲面を含むタッチウィンドウ１０００が配置される。
【０１６０】
すなわち、前記カバーケース８００の内部には曲面を有しない、すなわち平面に形成される表示パネル２０００と、前記表示パネルの上に配置され、先述したカバー基板が適用されて曲面を有するタッチウィンドウ１０００が配置される。
【０１６１】
これにより、前記タッチウィンドウ１０００と前記表示パネル２０００との間には、空隙部ＡＧが形成される。
【０１６２】
前記空隙には、補強部材３０００が配置される。すなわち、前記空隙内には、前記空隙部を埋める補強部材３０００が配置される。
【０１６３】
前記補強部材３０００は透明してもよい。一例として、前記補強部材３０００は空気層、接着層及びプラスチック層の少なくとも一つの層を配置することができる。詳細に、前記補強部材３０００は、エア（ａｉｒ）などの空気層、光学用透明樹脂（Ｏｐｔｉｃａｌ  Ｃｌｅａｒ  Ｒｅｓｉｎ、ＯＣＡ）、感光性樹脂（Ｐｈｏｔｏｓｅｎｓｉｔｉｖｅ  Ｒｅｓｉｎ）、ポリメチルメタクリレート（Ｐｏｌｙｍｅｔｈｙｌｍｅｔｈａｃｒｙｌａｔｅ、ＰＭＭＡ）及びポリカーボネート（ｐｏｌｙｃａｒｂｏｎａｔｅ）などの樹脂層、光学用透明接着剤（Ｏｐｔｉｃａｌ  Ｃｌｅａｒ  Ａｄｈｅｓｉｖｅ、ＯＣＡ）などの接着層を含むことができる。
【０１６４】
前記補強部材３０００は、前記空隙部ＡＧを埋めるながら配置され、これにより、前記空隙部ＡＧの内部は前記補強部材３０００で完全に充填される。したがって、前記補強部材３０００は、前記タッチウィンドウ１０００と前記表示パネル２０００と接触しながら配置される。
【０１６５】
これにより、このような空隙部を介して流入し得る外部の不純物を前記補強部材によって遮断することで、タッチデバイスの信頼性を向上させることができる。
【０１６６】
図２６を参照すると、実施例に係るタッチデバイスは、カバーケース８００、前記カバーケース８００内に収容されるタッチウィンドウ１０００及び表示パネル２０００を含むことができる。
【０１６７】
詳細に、前記カバーケース８００内には曲面を含む表示パネル２０００が配置され、前記表示パネル２０００の上に曲面を含むタッチウィンドウ１０００が配置される。すなわち、前記タッチウィンドウ１０００と前記表示パネル２０００の双方は曲面を有することができる。
【０１６８】
図２３では、前記タッチウィンドウ１０００と前記表示パネルが前記カバーケースの一面に対して凸方向に曲面を有することを示したが、実施例はこれに限定されず、凹方向に曲面を有することもできる。
【０１６９】
これにより、前記タッチウィンドウと前記表示パネルとの間に空隙部が形成されることを防止して、このような空隙部を介して流入し得る外部の不純物を前記補強部材によって遮断することで、タッチデバイスの信頼性を向上させることができる。
【０１７０】
以下、図２７〜図２８を参照して、先述した実施例に基板が適用されるタッチデバイス装置の一例を説明する。
【０１７１】
図２７を参照すると、このようなカバー基板は、移動式端末などのタッチデバイスの装置だけでなく、カーナビゲーションにも適用することができる。
【０１７２】
また、図２８を参照すると、このようなカバー基板は車両内にも適用することができる。すなわち、前記カバー基板は、車両内でタッチデバイスが適用可能な多様な部分に適用することができる。したがって、ＰＮＤ（Ｐｅｒｓｏｎａｌ  Ｎａｖｉｇａｔｉｏｎ  Ｄｉｓｐｌａｙ）だけでなく、計器盤（ｄａｓｈｂｏａｒｄ）などに適用されてＣＩＤ（Ｃｅｎｔｅｒ  Ｉｎｆｏｒｍａｔｉｏｎ  Ｄｉｓｐｌａｙ）も具現することができる。しかし、実施例はこれに限定されるものではなく、このようなタッチデバイス装置は、多様な電子製品に使用可能であることは言うまでもない。
【０１７３】
上述した実施例に説明された特徴、構造、効果などは、本発明の少なくとも一つの実施例に含まれ、必ずしも一つの実施例のみに限定されるものではない。さらに、各実施例で例示された特徴、構造、効果などは、実施例が属する分野における通常の知識を有する者によって他の実施例に対しても組合又は変形されて実施可能である。したがって、このような組合と変形に係る内容は、本発明の範囲に含まれるものと解釈されるべきである。
【０１７４】
以上、実施例を中心に説明したが、これは単なる例示であり、本発明を限定するものでなく、本発明が属する分野における通常の知識を有する者であれば本実施例の本質的な特性を逸脱しない範囲内で以上に例示されていない多様な変形と応用が可能であることが分かる。例えば、実施例に具体的に示された各構成要素は変形して実施することができる。そして、このような変形と応用に係る差異点は、添付した特許請求の範囲で規定する本発明の範囲に含まれるものと解析されるべきである。
【図１】
0006517940.tif 000002
【図２】
0006517940.tif 000003
【図３】
0006517940.tif 000004
【図４】
0006517940.tif 000005
【図５】
0006517940.tif 000006
【図６】
0006517940.tif 000007
【図７】
0006517940.tif 000008
【図８】
0006517940.tif 000009
【図９】
0006517940.tif 000010
【図１０】
0006517940.tif 000011
【図１１】
0006517940.tif 000012
【図１２】
0006517940.tif 000013
【図１３】
0006517940.tif 000014
【図１４】
0006517940.tif 000015
【図１５】
0006517940.tif 000016
【図１６】
0006517940.tif 000017
【図１７】
0006517940.tif 000018
【図１８】
0006517940.tif 000019
【図１９】
0006517940.tif 000020
【図２０】
0006517940.tif 000021
【図２１】
0006517940.tif 000022
【図２２】
0006517940.tif 000023
【図２３】
0006517940.tif 000024
【図２４】
0006517940.tif 000025
【図２５】
0006517940.tif 000026
【図２６】
0006517940.tif 000027
【図２７】
0006517940.tif 000028
【図２８】
0006517940.tif 000029